(57)【特許請求の範囲】
【請求項１】
第１の記録媒体に記録されているコンテンツを、標準速度よりも高速で前記第１の記録媒体から前記第１の記録媒体とは異なる記録媒体に記録する高速ダビング処理を行った前記第１の記録媒体を示す媒体情報、あるいは前記高速ダビング処理を行った前記コンテンツを示すコンテンツ情報を、ダビング禁止情報として、該ダビング禁止情報の有効期間を示す禁止時間情報と共に、書き換え可能に記憶する揮発性と不揮発性のメモリ手段と、
前記揮発性のメモリ手段に記憶されている前記禁止時間情報から、前記ダビング禁止情報の登録からの経過時間を減算し、前記減算によって、前記ダビング禁止情報のうち、所定の有効期間を経過していない有効ダビング禁止情報を判別し、前記有効ダビング禁止情報に基づき前記第１の記録媒体に記録されているコンテンツの再度の高速ダビング処理を禁止すると共に、前記有効ダビング禁止情報及び前記有効ダビング禁止情報と共に記憶されている前記禁止時間情報を用いて、所定期間経過毎に前記不揮発性のメモリ手段に記憶された前記ダビング禁止情報及び前記禁止時間情報を更新する制御手段とを有する
ダビング装置。
【請求項２】
前記制御手段では、前記揮発性のメモリ手段に記憶されている情報が失われたときには、前記不揮発性のメモリ手段に記憶されている情報を前記揮発性のメモリ手段に複写する
請求項１記載のダビング装置。
【請求項３】
高速ダビング処理を行って、第１の記録媒体に記録されているコンテンツを、標準速度よりも高速で前記第１の記録媒体から前記第１の記録媒体とは異なる記録媒体に記録するものとし、
高速ダビング処理を行った前記第１の記録媒体を示す媒体情報、あるいは前記高速ダビング処理を行った前記コンテンツを示すコンテンツ情報をダビング禁止情報として、該ダビング禁止情報の有効期間を示す禁止時間情報と共に、書き換え可能な揮発性および不揮発性状態で記憶するものとし、
前記禁止時間情報から、前記ダビング禁止情報の登録からの経過時間を減算し、前記減算によって、前記ダビング禁止情報のうち、所定の有効期間を経過していない有効ダビング禁止情報を判別し、前記有効ダビング禁止情報に基づき前記第１の記録媒体に記録されているコンテンツの、再度の高速ダビング処理を禁止すると共に、前記有効ダビング禁止情報及び前記有効ダビング禁止情報と共に記憶されている前記禁止時間情報を用いて、所定期間経過毎に前記不揮発性状態で記憶された前記ダビング禁止情報及び前記禁止時間情報を更新する
ダビング方法。
【請求項４】
前記ダビング禁止情報や前記禁止時間情報が失われたときには、前記不揮発性状態として記憶した前記ダビング禁止情報や前記禁止時間情報を用いて再度の高速ダビング処理を禁止する
請求項３記載のダビング方法。
【発明の詳細な説明】
【０００１】
【発明の属する技術分野】
この発明はダビング装置およびダビング方法に関する。詳しくは、高速ダビング処理が行われたコンテンツの、再度の高速ダビング処理を禁止するため、ダビング禁止情報と、このダビング禁止情報の有効期間と禁止時間情報が揮発性と不揮発性のメモリに記憶されると共に、揮発性メモリの情報を用いて再度の高速ダビング処理の禁止動作が行われる。また、揮発性メモリの情報が失われたときには、不揮発性メモリに記憶されている情報が揮発性メモリに複写されて、再度の高速ダビング処理の禁止動作が引き続き行われるものである。
【０００２】
【従来の技術】
近年、種々のコンテンツ情報をディジタル化して取り扱うことが可能とされており、このようなディジタル化されたコンテンツ情報は、完全な複製を容易かつ無尽蔵に行うことができてしまう。これは、コンテンツ情報の利用者にとっては大きな利点であるが、コンテンツ情報の著作権を有する者にとって権利保護の面で問題である。このため、利用者の利益と著作権を有する者の損益を考慮して、例えば１回だけコンテンツ情報のディジタルコピーを認めるＳＣＭＳ(Serial Copy Management System)方式が提案されている。
【０００３】
【発明が解決しようとする課題】
ところで、オーディオ機器のように楽曲等が記録されている記録媒体を再生して他の記録媒体にディジタル信号を用いてダビングする場合、オーディオ機器の機能の向上に伴い、標準速度でのダビング処理だけでなく、標準速度よりも高速でダビング処理を行うことが可能とされている。
【０００４】
このように高速でのダビング処理が可能となると、同じ楽曲を複数の記録媒体のそれぞれに１回だけディジタルコピーする場合には、短い時間で楽曲のダビング処理を完了できてしまう。
【０００５】
そこで、この発明では、著作権保護のために、コンテンツ情報の複製が短時間で多量に生成できないダビング装置およびダビング方法を提供するものである。
【０００６】
【課題を解決するための手段】
この発明に係るダビング装置は、第１の記録媒体に記録されているコンテンツを、標準速度よりも高速で第１の記録媒体からこの第１の記録媒体とは異なる記録媒体に記録する高速ダビング処理を行った第１の記録媒体を示す媒体情報、あるいは高速ダビング処理を行ったコンテンツを示すコンテンツ情報を、ダビング禁止情報として、該ダビング禁止情報の有効期間を示す禁止時間情報と共に、書き換え可能に記憶する揮発性と不揮発性のメモリ手段と、揮発性のメモリ手段に記憶されている禁止時間情報から、ダビング禁止情報の登録からの経過時間を減算し、減算によって、ダビング禁止情報のうち、所定の有効期間を経過していない有効ダビング禁止情報を判別し、有効ダビング禁止情報に基づき第１の記録媒体に記録されているコンテンツの再度の高速ダビング処理を禁止すると共に、有効ダビング禁止情報及び有効ダビング禁止情報と共に記憶されている禁止時間情報を用いて、所定期間経過毎に不揮発性のメモリ手段に記憶されたダビング禁止情報及び禁止時間情報を更新する制御手段とを有するものである。
【０００７】
また、ダビング方法は、高速ダビング処理を行って、第１の記録媒体に記録されているコンテンツを、標準速度よりも高速で第１の記録媒体から第１の記録媒体とは異なる記録媒体に記録するものとし、高速ダビング処理を行った第１の記録媒体を示す媒体情報、あるいは高速ダビング処理を行ったコンテンツを示すコンテンツ情報をダビング禁止情報として、該ダビング禁止情報の有効期間を示す禁止時間情報と共に、書き換え可能に記憶するものとし、禁止時間情報から、ダビング禁止情報の登録からの経過時間を減算し、減算によって、ダビング禁止情報のうち、所定の有効期間を経過していない有効ダビング禁止情報を判別し、有効ダビング禁止情報に基づき第１の記録媒体に記録されているコンテンツの、再度の高速ダビング処理を禁止すると共に、有効ダビング禁止情報及び有効ダビング禁止情報と共に記憶されている禁止時間情報を用いて、所定期間経過毎に不揮発性状態で記憶されたダビング禁止情報及び禁止時間情報を更新するものである。
【０００８】
この発明においては、高速ダビング処理を行って、例えばコンパクトディスクに記録されている楽曲をミニディスクにダビングする際に、高速ダビングが行われた記録媒体のＴＯＣ情報あるいは曲情報がダビング禁止情報としてＲＡＭと不揮発性メモリに記憶される。また、ＲＡＭと不揮発性メモリには、記憶されたダビング禁止情報の有効期間を示す禁止時間情報も合わせて記憶される。このＲＡＭに記憶された禁止時間情報が時間の経過と共に順次更新されて、有効期間を経過したダビング禁止情報はＲＡＭから削除されて、ＲＡＭに記憶されているダビング禁止情報に基づいて、再度の高速ダビング処理が禁止される。また、不揮発性メモリの情報は、所定期間経過毎にＲＡＭの情報を用いて更新される。
【０００９】
さらに、ＲＡＭに記憶されている情報が失われたときには、不揮発性メモリの情報がＲＡＭに複写されて、再度の高速ダビング処理の禁止動作が行われる。
【００１０】
【発明の実施の形態】
次に、本発明の実施の一形態について、図を参照して詳細に説明する。図１はコンテンツ情報のダビング装置、例えばコンパクトディスクに記録されている楽曲をミニディスクにディジタルコピー可能なステレオ装置１０の構成を示している。このステレオ装置１０では、コンパクトディスクに記録されている楽曲を再生するＣＤ装置部２０と、ディジタル記録が可能な記録媒体であるミニディスクを用いて信号の記録再生を行うミニディスク装置部４０、およびチューナ部８１やテープデッキ部８２、信号入出力部８３等を有している。
【００１１】
ＣＤ装置部２０に装着されたコンパクトディスク（ＣＤ）１００はスピンドルモータ部２１によって回転駆動される。このコンパクトディスク１００には、光ピックアップ部２２から光量をコントロールしたレーザ光が照射される。コンパクトディスク１００で反射されたレーザ光は、光ピックアップ部２２の光検出部（図示せず）に照射される。光ピックアップ部２２では、光電変換及び電流電圧変換によって反射光に応じた電圧信号を生成してＲＦアンプ部２３に供給する。
【００１２】
ＲＦアンプ部２３では、光ピックアップ部２２からの電圧信号を用いて読出信号ＳRRFやトラッキング誤差信号ＳRTE、フォーカス誤差信号ＳRFEを生成する。このＲＦアンプ部２３で生成された読出信号ＳRRFやトラッキング誤差信号ＳRTE，フォーカス誤差信号ＳRFEは、サーボ制御部２４に供給される。
【００１３】
サーボ制御部２４では、供給されたフォーカス誤差信号ＳRFEに基づき、光ビームの焦点位置がコンパクトディスク１００上の位置となるように、光ピックアップ部２２の対物レンズ（図示せず）を制御するためのフォーカス制御信号ＳRFCを生成してドライバ２５に供給する。また、供給されたトラッキング誤差信号ＳRTEに基づき、光ビームの照射位置が所望のトラックの中央位置となるように、光ピックアップ部２２の対物レンズを制御するためのトラッキング制御信号ＳRTCを生成してドライバ２５に供給する。
【００１４】
ドライバ２５では、フォーカス制御信号ＳRFCに基づいてフォーカス駆動信号ＳRFDを生成すると共に、トラッキング制御信号ＳRTCに基づいてトラッキング駆動信号ＳRTDを生成する。この生成されたフォーカス駆動信号ＳRFD及びトラッキング駆動信号ＳRTDを、光ピックアップ部２２のアクチュエータ（図示せず）に供給することにより、光ビームが所望のトラックの中央位置で焦点を結ぶように制御される。
【００１５】
また、サーボ制御部２４では、供給された読出信号ＳRRFをディジタル信号に変換して、読出データ信号ＤRRFとしてデータ処理部３０に供給する。また、変換して得られたディジタル信号に同期するクロック信号ＣＫRRFの生成も行い、生成したクロック信号ＣＫRRFもデータ処理部３０に供給する。
【００１６】
さらに、サーボ制御部２４では、スレッド制御信号ＳRSCを生成してスレッドモータ部２９に供給することにより、光ピックアップ部２２をコンパクトディスク１００の径方向に移動させる。
【００１７】
データ処理部３０では、読出データ信号ＤRRFをＥＦＭ復調すると共にデインタリーブ処理やＣＩＲＣ（Cross Interleave Reed-Solomon Code）による誤り訂正処理を行い、例えばディジタルオーディオインタフェースのフォーマットの再生データ信号ＲＤRを生成する。この再生データ信号ＲＤRは、信号選択部８０に供給される。
【００１８】
さらに、データ処理部３０では、ＥＦＭ復調後の信号からサブコードを取り出して情報信号ＤRSQとしてＣＤ制御部３５に供給すると共に、ＥＦＭ復調後の信号のフレーム同期信号ＳRFSを検出してスピンドルモータ部２１に供給する。このスピンドルモータ部２１では、データ処理部３０からのフレーム同期信号ＳRFSに基づき、コンパクトディスク１００を所望の速度で回転させる。また、データ処理部３０では、ＴＯＣ情報を読み出して情報信号ＤRSQとしてＣＤ制御部３５に供給する処理も行う。
【００１９】
ＣＤ制御部３５では、動作制御部９０からの制御信号ＭＣRやデータ処理部３０からのＴＯＣ情報やサブコード等の情報信号ＤRSQに基づいて、サーボ制御部２４に制御信号ＣＴRA、データ処理部３０に制御信号ＣＴRB等を供給することで、ＣＤ装置部２０の動作を制御する。また、ＣＤ制御部３５では、データ処理部３０からのＴＯＣ情報やサブコード等の情報信号ＤRSQを動作制御部９０にも供給する。なお、ミニディスク制御部５５からＲＦアンプ部２３に制御信号ＣＴRCを供給して、ＲＦアンプ部２３によって光ピックアップ部２２のレーザダイオードのオンオフ制御やレーザパワーの制御等も行われる。
【００２０】
ミニディスク装置部４０のミニディスク２００はスピンドルモータ部４１によって回転駆動される。このミニディスク２００の一つの面（図においては上面）側に記録用の磁気ヘッド部４２が配され、下面側に光ピックアップ部４３が配される。
【００２１】
ミニディスク２００には、光ピックアップ部４３から光量をコントロールした光ビームが照射される。ミニディスク２００で反射された光ビームは、光ピックアップ部４３の光検出部（図示せず）に照射される。光ピックアップ部４３では、光電変換及び電流電圧変換によって反射光に応じた電圧信号を生成してＲＦアンプ部４４に供給する。
【００２２】
ＲＦアンプ部４４では、光ピックアップ部４３からの電圧信号を用いて読出信号ＳMRFやトラッキング誤差信号ＳMTE、フォーカス誤差信号ＳMFEを生成する。また、ミニディスク２００に予め形成されているプリグルーブのウォーブルを読み取った信号であるウォーブル信号ＳMWBを生成する。このＲＦアンプ部４４で生成された読出信号ＳMRFやトラッキング誤差信号ＳMTE，フォーカス誤差信号ＳMFEは、サーボ制御部４５に供給される。また、ウォーブル信号ＳMWBは、デコーダ部４７に供給される。
【００２３】
サーボ制御部４５では、供給されたフォーカス誤差信号ＳMFEに基づき、光ビームの焦点位置がミニディスク２００上の位置となるように、光ピックアップ部４３の対物レンズ（図示せず）を制御するためのフォーカス制御信号ＳMFCを生成してドライバ４６に供給する。また、供給されたトラッキング誤差信号ＳMTEに基づき、光ビームの照射位置が所望のトラックの中央位置となるように、光ピックアップ部４３の対物レンズを制御するためのトラッキング制御信号ＳMTCを生成してドライバ４６に供給する。
【００２４】
ドライバ４６では、フォーカス制御信号ＳMFCに基づいてフォーカス駆動信号ＳMFDを生成すると共に、トラッキング制御信号ＳMTCに基づいてトラッキング駆動信号ＳMTDを生成する。この生成されたフォーカス駆動信号ＳMFD及びトラッキング駆動信号ＳMTDを、光ピックアップ部４３のアクチュエータ（図示せず）に供給することにより、光ビームが所望のトラックの中央位置で焦点を結ぶように制御される。
【００２５】
また、サーボ制御部４５では、供給された読出信号ＳMRFをディジタル信号に変換して、読出データ信号ＤMRFとしてデータ処理部５０に供給する。また、変換して得られたディジタル信号に同期するクロック信号ＣＫMRFの生成も行い、生成したクロック信号ＣＫMRFもデータ処理部５０に供給する。
【００２６】
さらに、サーボ制御部４５では、スレッド制御信号ＳMSCを生成してスレッドモータ部４９に供給することにより、磁気ヘッド部４２と光ピックアップ部４３をミニディスク２００の径方向に移動させる。
【００２７】
ウォーブル信号ＳMWBが供給されるデコーダ部４７では、ウォーブル信号ＳMWBの帯域制限を行ってウォーブル成分を取り出すと共に二値化して、さらに復調処理を行いアドレス情報信号ＤMADを生成する。また、得られたアドレス情報信号ＤMADの同期パターンを検出して同期信号ＳMAFを生成する。このアドレス情報信号ＤMADは、ミニディスク制御部５５に供給される。また、同期信号ＳMAFがスピンドルモータ部４１に供給されることにより、この同期信号ＳMAFあるいは後述する同期信号ＳMBFに基づきミニディスク２００がスピンドルモータ部４１によって所定の速度で回転される。
【００２８】
データ処理部５０では、読出データ信号ＤMRFをＥＦＭ復調すると共にデインタリーブ処理やＣＩＲＣによる誤り訂正処理を行う。これらの処理を行って得られた圧縮データ信号ＣＲＤは、例えばダイナミックＲＡＭ等を用いて構成されたメモリ５１に一時保持されたのち順次読み出されて、圧縮伸長処理部５２に供給される。また、データ処理部５０では、ＴＯＣ情報やＵＴＯＣ情報を読み出して情報信号ＤMSQとしてミニディスク制御部５５に供給する処理も行う。さらに、読出データ信号ＤMRFに基づいて同期信号ＳMBFを生成してスピンドルモータ部４１に供給する。
【００２９】
圧縮伸長処理部５２では、ＡＴＲＡＣ（Adaptive Transform Acoustic Coding）のデコード処理を行って、メモリ５１から読み出した圧縮データ信号ＣＲＤを復号化すると共に、例えばディジタルオーディオインタフェースのフォーマットの再生データ信号ＲＤMを生成する。この再生データ信号ＲＤMは、信号選択部８０に供給される。
【００３０】
信号選択部８０からミニディスク装置部４０に、ディジタルオーディオインタフェースのフォーマットの記録データ信号ＷＤMが供給されたときには、この記録データ信号ＷＤMを圧縮伸長処理部５２に供給する。
【００３１】
圧縮伸長処理部５２では、記録データ信号ＷＤMのオーディオデータに対して、ＡＴＲＡＣのエンコード処理を行って符号化する。このエンコード処理によって得られたデータ信号は、圧縮データ信号ＣＷＤとしてメモリ５１に一時保持されたのちデータ処理部３０によって間欠的に読み出される。
【００３２】
データ処理部５０では、メモリ５１から読み出した圧縮データ信号ＣＷＤに対してＣＩＲＣのエンコード処理やＥＦＭのエンコード処理を行う。このエンコード処理を行って得られた信号は、書込信号ＷＳMとして記録アンプ５６に供給される。なお、記録データ信号ＷＤMのオーディオデータに付加されている情報もデータ処理部５０に供給されて、この供給された情報に基づく書込信号ＷＳMの生成も行われる。
【００３３】
記録アンプ５６では、供給された書込信号ＷＳMを増幅して記録用の磁気ヘッド部４２に供給し、書込信号ＷＳMに応じた磁界を磁気ヘッド部４２で発生させる。また、光ピックアップ部４３から所定のパワーのレーザ光がミニディスク２００に照射される。このため、ミニディスク２００には、磁界変調記録方式によって磁気ヘッド部４２で発生された磁界に応じたマークが形成されて信号の記録が行われる。
【００３４】
ミニディスク制御部５５では、動作制御部９０からの制御信号ＭＣMやデータ処理部５０からの情報信号ＤMSQ、およびデコーダ部４７からのアドレス情報信号ＤMADで示された位置の判別結果に基づいて、サーボ制御部４５に制御信号ＣＴMA、データ処理部５０に制御信号ＣＴMB等を供給することで、ミニディスク装置部４０の動作を制御する。また、ミニディスク２００に記録した信号の記録位置情報や記録された信号に関する情報等を示すＵＴＯＣ情報を生成してデータ処理部５０に供給し、このＵＴＯＣ情報をミニディスク２００に記録する処理も行う。さらに、情報信号ＤMSQに基づいてミニディスク２００に記録されている楽曲数や再生時間、記録可能時間等を示す情報信号ＫＤMを動作制御部９０に供給する。なお、ミニディスク制御部５５からＲＦアンプ部４４に制御信号ＣＴMCを供給して、ＲＦアンプ部４４によって光ピックアップ部４３のレーザダイオードのオンオフ制御やレーザパワーの制御等も行われる。
【００３５】
信号選択部８０には、ＣＤ装置部２０やミニディスク装置部４０およびチューナ部８１やテープデッキ部８２および信号入出力部８３が接続されており、ＣＤ装置部２０からの再生データ信号ＲＤRや、ミニディスク装置部４０からの再生データ信号ＲＤM、チューナ部８１で放送波を受信して得られた受信音声信号Ｓtu、テープデッキ部８２で磁気テープを再生して得られたテープ再生信号Ｓtp、信号入出力端子に入力された入力信号Ｓpinのいずれかの信号を選択して出力調整部８４に供給する。なお、選択した信号がディジタル信号であるときにはアナログ信号に変換して出力調整部８４に供給する。
【００３６】
また、いずれかの再生データ信号あるいは音声出力信号を選択して、ミニディスク装置部４０あるいはテープデッキ部８２に供給することにより、ミニディスク２００あるいは磁気テープに所望の信号をダビングすることができる。この信号選択部８０での信号選択動作は動作制御部９０から供給された制御信号ＣＳに基づいて行う。
【００３７】
出力調整部８４では、信号選択部８０で選択された信号の信号レベルを動作制御部９０からの調整信号ＶＲに基づいて調整し、音声出力信号Ｓoutとしてスピーカ等の音声出力部８５に供給する。なお、出力調整部では音質の調整等も行う。
【００３８】
動作制御部９０は、ＣＰＵ(Central Processing Unit)９０ａやＲＯＭ９０ｂおよびＲＡＭ９０ｃを用いて構成されている。この動作制御部９０では、ＲＯＭ９０ｂに記憶されたプログラムを実行して、動作制御部９０に接続された操作部９１からの操作信号ＰＳに応じた制御信号ＭＣR，ＭＣMを生成してＣＤ制御部３５やミニディスク制御部５５等に供給して、操作部９１の操作に応じた動作が各部で行われるように制御する。また、各装置の動作状態等を表示するための表示信号ＰＲを生成して表示部９２に供給し、各装置の動作状態を表示部９２に表示させる。また、動作制御部９０では、ＣＤ制御部３５からの情報信号ＤRSQおよびミニディスク制御部５５からの情報信号ＫＤMに基づいて、コンパクトディスク１００やミニディスク２００に記録されている楽曲等の情報等を表示するための表示信号ＰＲの生成も行う。さらに、ＣＤ制御部３５やミニディスク制御部５５等から供給された信号を利用して、信号選択部８０を制御信号ＣＳによって制御することにより、ＣＤ装置部２０とミニディスク装置部４０間でのダビング処理等も行う。
【００３９】
また、揮発性のメモリ手段である動作制御部９０のＲＡＭ９０ｃには、ＣＤ制御部３５からの情報信号ＤRSQに基づき、コンパクトディスク１００に記録されている情報例えばＴＯＣ情報や曲情報がダビング禁止情報として記憶されると共に、ダビング禁止情報の有効期限を示す禁止時間情報が記憶されて、これらの情報を利用することで、通常の再生速度よりも速い速度でのダビング動作（以下「高速ダビング動作」という）の制限も行われる。
【００４０】
動作制御部９０には不揮発性メモリ９５が接続されており、この不揮発性メモリ９５には、ＲＡＭ９０ｃに記憶されているダビング禁止情報やダビング禁止情報の有効期限を示す禁止時間情報が記憶される。
【００４１】
次に、コンパクトディスク１００に記録されている楽曲をミニディスク２００に高速ダビングする場合の動作について、図２のフローチャートを用いて説明する。
【００４２】
ステップＳＴ１では、楽曲の高速ダビング処理を禁止するためのダビング禁止情報、例えば楽曲が記録されたコンパクトディスク１００のＴＯＣ(Table Of Contents)情報を読み出すと共に、この読み出したＴＯＣ情報が動作制御部９０のＲＡＭ９０ｃに登録済みであるか否かを判別する。
【００４３】
ここで、初めて高速ダビング処理を行う場合、ＲＡＭ９０ｃには、ＴＯＣ情報が登録されていないことからステップＳＴ２に進む。
【００４４】
ステップＳＴ２では、読み出したＴＯＣ情報をダビング禁止情報として、またダビング禁止情報の有効期間を示すものとして設定されたダビング禁止時間Ｔnpを禁止時間情報として、ＲＡＭ９０ｃおよび不揮発性メモリ９５に登録する。
【００４５】
図３は、ステレオ装置１０でのダビング禁止情報の管理動作を示すフローチャートである。
【００４６】
ステレオ装置１０の動作が開始されると、ステップＳＴ１１ではダビング禁止情報が登録されてからの、あるいは後述するように電源が復帰されてからの経過時間Ｔptをダビング禁止情報毎に算出する。さらに、算出された経過時間Ｔptを対応するダビング禁止情報のダビング禁止時間Ｔnpから減算して、新たなダビング禁止時間Ｔnpを算出する。
【００４７】
ステップＳＴ１２では、新たなダビング禁止時間Ｔnpが「０」以下となったダビング禁止情報があるか否かを判別する。ここで、ダビング禁止時間Ｔnpが「０」以下となったダビング禁止情報が生じたときにはステップＳＴ１３に進む。また、ダビング禁止時間Ｔnpが「０」以下となったダビング禁止情報が生じていないときにはステップＳＴ１４に進む。
【００４８】
ステップＳＴ１３では、ダビング禁止時間Ｔnpが「０」以下、すなわち有効期間が経過したダビング禁止情報を、禁止時間情報と共にＲＡＭ９０ｃおよび不揮発性メモリ９５から削除して、ステップＳＴ１４に進む。
【００４９】
ステップＳＴ１４では、ダビング禁止時間Ｔnpが所定の単位時間、すなわち時間「Ｋ」のｎ倍（ｎは正の整数）の時間となったか否かを判別する。ここで、所定の単位時間となったときにはステップＳＴ１５に進む。また、所定の単位時間となっていないときにはステップＳＴ１１に戻る。
【００５０】
ステップＳＴ１５では、不揮発性メモリ９５に登録されている情報、例えばダビング禁止情報と禁止時間情報あるいは禁止時間情報を、ＲＡＭ９０ｃに記憶されている情報で更新してステップＳＴ１１に戻る。例えば「Ｋ＝５分」とすると、ダビング禁止時間Ｔnpが５分の整数倍とされたときに、不揮発性メモリ９５に登録されている情報がＲＡＭ９０ｃの情報で更新される。
【００５１】
このように、ダビング禁止時間Ｔnpが「０」以下となったダビング禁止情報は、ＲＡＭ９０ｃと不揮発性メモリ９５から削除されると共に、不揮発性メモリ９５に登録されている情報は、ダビング禁止情報が登録されてからあるいは電源の復帰から時間の経過と共に所定のタイミングで繰り返し更新される。
【００５２】
図２のステップＳＴ２でダビング禁止情報の登録が行われてステップＳＴ３に進むと、ステップＳＴ３では、高速ダビング処理を実行して動作を終了する。
【００５３】
また、ＴＯＣ情報がディスクに記録された楽曲の曲数や総演奏時間および各楽曲毎の演奏時間等の情報から構成されていることから、ＲＡＭ９０ｃにダビング禁止情報が登録された状態でステップＳＴ１に進むと、ステップＳＴ１では、読み出したＴＯＣ情報がＲＡＭ９０ｃに登録されている否かを判別することにより、高速ダビング処理に用いるコンパクトディスクは、既に高速ダビング処理で用いたコンパクトディスクであるか否かを判別できる。
【００５４】
ここで、登録されているときにはステップＳＴ４に進み、コンパクトディスク１００に記録されている楽曲の高速ダビングを禁止する期間中である旨の通知を行って動作を終了する。
【００５５】
また、ダビング禁止時間Ｔnpが経過したことによりダビング禁止情報が削除されて、読み出したＴＯＣ情報がＲＡＭ９０ｃに登録されていないと判別されると、ステップＳＴ１からステップＳＴ２に進み、ＴＯＣ情報やダビング禁止時間が登録されたのち、ステップＳＴ３で高速ダビング処理が行われる。
【００５６】
このため、ダビング禁止時間Ｔnpを、例えばＴＯＣ情報の総演奏時間あるいはコンパクトディスクの最長演奏時間（約７５分）に設定すれば、このダビング禁止時間が経過するまで、同じコンパクトディスクを用いた高速ダビング処理が禁止されるので、通常速度でダビング処理を行う場合に比べて、楽曲をダビングしたミニディスクが数多く生成できてしまうことを防止することができ、著作権保護の実効性を高められる。
【００５７】
また、ステレオ装置１０に対する電力の供給が一時中断された後、再度電力の供給が開始されたときには、ＲＡＭ９０ｃに登録されているダビング禁止情報のＴＯＣ情報と、不揮発性メモリ９５に登録されているダビング禁止情報のＴＯＣ情報を比較する。ここで、ＴＯＣ情報が一致していないときは、例えばＲＡＭ９０ｃの情報が失われたり誤った情報とされたと判別して、不揮発性メモリ９５に記憶されているダビング禁止情報と禁止時間情報をＲＡＭ９０ｃに複写してから上述の図２に示す処理を行う。
【００５８】
このため、１回のディジタルコピー終了後にステレオ装置１０への電力の供給を停止させてＲＡＭ９０ｃのダビング禁止情報等を消去しても、電源復帰後、自動的に不揮発性メモリ９５に記憶されているダビング禁止情報と禁止時間情報がＲＡＭ９０ｃに複写されるので、ダビング禁止時間の経過前に高速ダビングが行われてしまうことを防止できる。
【００５９】
ところで、上述の実施の形態では、高速ダビングを禁止するためにコンパクトディスクに記録されているＴＯＣ情報を用いて、ディスク単位で高速ダビングの禁止制御を行うものとしたが、例えばＩＳＲコード(International Standard Recording Code)を利用して、楽曲単位で高速ダビングでの禁止制御を行うものとしても良い。
【００６０】
このＩＳＲコードは、図４に示すようにサブコードのチャネルＱを用いて表されている。サブコードのチャネルＱは、最初のＱ1〜Ｑ4までの４ビットがコントロールフィールド、次のＱ5〜Ｑ8までの４ビットがアドレスフィールド、Ｑ9からＱ80までがデータフィールド、Ｑ81〜Ｑ96までがＣＲＣフィールドとされている。
【００６１】
このコントロールフィールドのデータ信号によって、オーディオのチャネル数、エンファシス、ディジタルデータなどの識別が行われる。ＣＲＣフィールドの１６ビットのデータ信号は、誤り検出用のＣＲＣ(Cyclic Redundancy Code)である。
【００６２】
ここで、アドレスフィールドのデータ信号が「０００１」であるときには、図５Ａに示すようにデータフィールドの「ＴＯＮ」の８ビットのデータ信号によってトラック番号（曲番号）が示されると共に、次の「ＩＮＤＥＸ」の８ビットのデータ信号によってインデックス番号が示される。また「ＭＩＮ」「ＳＥＣ」「ＦＲＡＭＥ」の各８ビットのデータ信号によって、曲の経過時間（分，秒，フレーム）が６ディジットのＢＣＤで示される。また「０」はReserved領域であり、「ＡＭＩＮ」「ＡＳＥＣ」「ＡＦＲＡＭＥ」の各８ビットのデータ信号によって、絶対時間（分，秒，フレーム）が６ディジットのＢＣＤで示される。
【００６３】
アドレスフィールドのデータ信号が「００１０」であるときには、図５Ｂに示すように、データフィールドの「Ｍ1」〜「Ｍ13」の各４ビットのデータ信号によってディスクのカタログ番号が示される。なお、「ＡＦＲＡＭＥ」は、アドレスフィールドのデータ信号が「０００１」である場合との連続性を補うためのものである。
【００６４】
アドレスフィールドのデータ信号が「００１１」であるときには、図５Ｃに示すように、データフィールドの「Ｌ1」〜「Ｌ12」までのデータ信号で、記録されている音楽信号に対しての曲毎の情報であるＩＳＲ(INTERNATIONAL STANDARD RECORDING CODE)コードが示される。データフィールドの「Ｌ1」，「Ｌ2」の各６ビットのデータ信号によって、ＩＳＲコードの国コードが示されると共に「Ｌ3」〜「Ｌ5」までの各６ビットのデータ信号によってオーナーコードが示される。また、「Ｌ6」，「Ｌ7」の各４ビットのデータ信号によって記録された年が示されると共に、「Ｌ8」〜「Ｌ12」までの各４ビットのデータ信号によってシリアル番号が示される。なお、「ＡＦＲＡＭＥ」は、アドレスフィールドのデータ信号が「０００１」である場合との連続性を補うためのものである。このように、トラック毎に記録されているＩＳＲコードを判別することにより、どのような曲であるかを識別することができる。
【００６５】
このように、コンパクトディスクに記録されているＩＳＲコードをダビング禁止情報として用いることにより、ディスク単位だけでなく、楽曲単位で高速ダビングのダビング禁止動作を行うこともできる。
【００６６】
なお、上述の実施の形態では、コンパクトディスク１００に記録されている楽曲のディジタル信号をミニディスク２００にディジタルコピーするものとしたが、ディジタル信号が記録されている記録媒体およびディジタル信号が記録される記録媒体は、コンパクトディスクやミニディスクに限られるものではなく、ＤＶＤ(Digital Versatile Disk)ディスクやＣＤ−Ｒ(CD-Recordable)、ＣＤ−ＲＷ(CD-ReWritable)ディスク等の他の光ディスクあるいはＤＡＴ(Digital Audio Taperecorder)等のように磁気記録媒体を用いたものであっても良い。また、コンテンツのディジタル信号も楽曲に限られるものではなく、画像等のコンテンツのディジタル信号であっても良いことは勿論である。
【００６７】
【発明の効果】
この発明によれば、高速ダビング処理を行った第１の記録媒体を示す媒体情報、あるいは高速ダビング処理を行ったコンテンツを示すコンテンツ情報がダビング禁止情報として、ダビング禁止情報の有効期間を示す禁止時間情報と共に、書き換え可能に記憶される。また、禁止時間情報が時間の経過と共に順次更新されて、有効期間を経過していないダビング禁止情報に基づき、第１の記録媒体に記録されているコンテンツの、再度の高速ダビング処理が禁止されると共に、所定期間経過毎に禁止時間情報とダビング禁止情報が不揮発性状態として記憶される。
【００６８】
このため、高速ダビングが行われたコンテンツが、禁止時間情報で設定された期間経過前に再度高速ダビングされることを防止することができると共に、ダビング禁止情報と禁止時間情報が喪失されて、再度の高速ダビング処理を禁止できなくなってしまうことを防止できる。
【００６９】
また、ダビング禁止情報や禁止時間情報が失われたときには、不揮発性状態として記憶したダビング禁止情報や禁止時間情報を用いて再度の高速ダビング処理が禁止されるので、ダビング装置への電力の供給が一時中断されても、正しく再度の高速ダビング処理の禁止動作を継続させることができる。
【図面の簡単な説明】
【図１】ステレオ装置の構成を示す図である。
【図２】高速ダビング動作を示すフローチャートである。
【図３】ダビング禁止情報の管理動作を示すフローチャートである。
【図４】チャネルＱのフレーム構造を示す図である。
【図５】チャネルＱのデータフィールドの構造を示す図である。
【符号の説明】
１０  ステレオ装置
２０  ＣＤ装置部
２１，４１  スピンドルモータ部
２２，４３  光ピックアップ部
２３，４４  ＲＦアンプ部
２４，４５  サーボ制御部
２５，４６  ドライバ
２９，４９  スレッドモータ部
３０，５０  データ処理部
３５  ＣＤ制御部
４０  ミニディスク装置部
４２  磁気ヘッド部
４７  デコーダ部
５１  メモリ
５２  圧縮伸長処理部
５５  ミニディスク制御部
５６  記録アンプ
８０  信号選択部
９０  動作制御部
９０ａ  ＣＰＵ(Central Processing Unit)
９０ｂ  ＲＯＭ
９０ｃ  ＲＡＭ
９１  操作部
９２  表示部
９５  不揮発性メモリ
１００  コンパクトディスク
２００  ミニディスク
【図１】
0004534327.tif 000002
【図２】
0004534327.tif 000003
【図３】
0004534327.tif 000004
【図４】
0004534327.tif 000005
【図５】
0004534327.tif 000006